【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】人体血管内に配置可能な先端保護装置であって、
フィルタバスケットが脈管内での好ましい軸方向位置に配置可能なフィルタバスケットと、前記フィルタバスケットは閉じた先端部と開いた基端部を有することと、
フィルタバスケットの基端部に近接する前記フィルタバスケットに連結された自己拡張径方向部材と、前記部材は前記フィルタバスケットの基端部を開いた状態に維持するよう適合されていることを備えた先端保護装置。
【請求項２】前記フィルタバスケットが取り付けられるガイドワイヤをさらに備え、なお前記フィルタバスケットの少なくとも一つの端部が自由に動く請求項１に記載の先端保護装置。
【請求項３】前記フィルタバスケットの反対端部が前記ガイドワイヤに固く取り付けられる請求項２に記載の先端保護装置。
【請求項４】前記フィルタバスケットは円錐筒の形をしており、そして前記ガイドワイヤは前記円錐筒に沿って軸方向に延びる請求項２に記載の先端保護装置。
【請求項５】前記フィルタバスケットは前記ガイドワイヤが内部を延びるチューブを有する請求項２に記載の先端保護装置。
【請求項６】前記径方向部材はループであり、前記ループは略円形状である請求項２に記載の先端保護装置。
【請求項７】前記フィルタバスケットは円錐筒の形をしており、そして前記ガイドワイヤは前記円錐筒に沿って軸方向に延びるものとする請求項３に記載の先端保護装置。
【請求項８】前記フィルタバスケットは前記ガイドワイヤが内部を延びるチューブを有する請求項３に記載の先端保護装置。
【請求項９】前記径方向部材はループであり、前記ループは略円形状である請求項３に記載の先端保護装置。
【請求項１０】前記径方向部材はＣ型に形成される請求項１に記載の先端保護装置。
【請求項１１】前記径方向部材はＪ型に形成される請求項１に記載の先端保護装置。
【請求項１２】前記径方向部材はらせん型に形成される請求項１に記載の先端保護装置。
【請求項１３】前記半円形ループはニチノールワイヤから形成される請求項６に記載の先端保護装置。
【請求項１４】前記半円形ループは放射線不透過性である請求項６に記載の先端保護装置。
【請求項１５】前記半円形ループは放射線不透過性物質で覆われている請求項６に記載の先端保護装置。
【請求項１６】前記ループは拡張状態で、前記ガイドワイヤに対し実質的に直角な平面を形成する請求項６に記載の先端保護装置。
【請求項１７】前記ループは拡張状態で、前記ガイドワイヤに対し４５度から９０度の角度で設置される請求項６に記載の先端保護装置。
【請求項１８】前記フィルタバスケットと前記ループは折り畳まれて小直径デリバリーカテーテルの中へ嵌合するように適用されている請求項６に記載の先端保護装置。
【請求項１９】血管へ送り込まれたガイドワイヤに沿って、人体の略管状脈管内に医療器具を適当に位置決めするのを容易にする装置であって、
医療器具をガイドワイヤのある規定側で側方に設置させて維持する要素と、
医療器具の好ましい軸方向端部付近にガイドワイヤによって運ばれ、拡張時にガイドワイヤの前記規定側で側方に設置させて維持される折り畳み可能な準硬性のスペーサとを備え、前記スペーサは血管内壁表面の円周上の位置で嵌合するのに十分なガイドワイヤの前記規定側と接する大きさを有すると共に、ガイドワイヤを血管内壁表面の概ね正反対位置に対し付勢する装置。
【請求項２０】前記スペーサはガイドワイヤの位置にある基端部分と血管内壁への接地のための先端部分装置とを有し、前記先端部分は血管内表面を傷めないよう形成されている請求項１９による器具。
【請求項２１】前記スペーサはワイヤの形をしており、また前記スペーサの前記先端部分は前記ワイヤ形の弓形部分を形成する請求項２０に記載の器具。
【請求項２２】前記ワイヤ形は閉ループを形成する請求項２１に記載の器具。
【請求項２３】前記閉ループはガイドワイヤに対し少なくとも４５度の角度を形成する請求項２２に記載の器具。
【請求項２４】前記ワイヤ状の外形は略Ｃ型を形成する請求項２１に記載の器具。
【請求項２５】前記ワイヤ状の外形は略Ｊ型を形成する請求項２１に記載の器具。
【請求項２６】前記スペーサは放射線不透過性物質である請求項２０に記載の器具。
【請求項２７】血管へ送り込まれたガイドワイヤに沿って、人体の略管状脈管内に医療器具を適当に位置決めするのを容易にする装置であって、
定義された軸方向位置に、ガイドワイヤに沿って医療器具を取り付ける要素と、
前記要素によって運ばれる折り畳み可能な準硬性のスペーサとを備え、前記器具は前記スペーサと概ね軸方向に整列され、前記スペーサは血管内壁表面の円周上の位置で嵌合するのに十分なガイドワイヤの一側面と接する大きさを有し、ガイドワイヤを概ね血管内壁表面の正反対位置に対し付勢する装置。
【請求項２８】血管へ送り込まれたガイドワイヤに沿って、人体の略管状脈管内に織物より構成された先端保護装置の適当に位置決めするのを容易にする装置であって、
ガイドワイヤに沿って好ましい軸方向位置に先端保護装置を取り付ける要素と、
先端保護装置の開口部の中に埋め込まれた折り畳み可能な準硬性のスペーサと、を備えた装置。
【請求項２９】人体血管内に配置可能な先端保護装置であって、
ガイドワイヤと、
ガイドワイヤを受け取るチューブと、
チューブに接続され、閉じた先端部と開いた基端部を有するフィルタバスケットと、
チューブに接続され、フィルタバスケットの基端部に近接して配置された離間部材であって、先端保護装置が血管内で設置されている時にフィルタバスケットの基端部を開いた状態に維持するよう適合されている離間部材と、
を備えた先端保護装置。
【請求項３０】前記チューブがガイドワイヤに沿って回転方向および軸方向に移動可
能である請求項２９に記載の先端保護装置。
【請求項３１】前記チューブがガイドワイヤに対して固定されている請求項２９に記載の先端保護装置。
【請求項３２】人体血管内に配置可能な先端保護装置であって、
ガイドワイヤと、
ガイドワイヤを受け取るチューブと、
チューブに接続され、閉じた先端部と開いた基端部を有するフィルタバスケットと、
チューブに接続される第１部分と、先端保護装置が血管内で設置されている時にガイドワイヤを係合位置から所望距離だけ離間させるべく同係合位置で血管の内壁に接触する、第１部分とは反対側の第２部分とを有し、フィルタバスケットの基端部に近接して配置された離間部材と、
を備えた先端保護装置。
【請求項３３】前記チューブがガイドワイヤに沿って回転方向および軸方向に移動可能である請求項３２に記載の先端保護装置。
【請求項３４】前記チューブがガイドワイヤに対して固定されている請求項３２に記載の先端保護装置。
【請求項３５】人体血管内に配置可能な先端保護装置であって、
ガイドワイヤと、
ガイドワイヤを受け取るチューブと、
チューブに接続され、閉じた先端部と開いた基端部を有するフィルタバスケットと、
チューブに接続される第１部分と、先端保護装置が血管内で設置されている時にガイドワイヤを係合位置から離れる方向に付勢すべく同係合位置で血管の内壁に接触する第２部分とを有し、フィルタバスケットの基端部に近接して配置された離間部材と、
を備えた先端保護装置。
【請求項３６】前記チューブがガイドワイヤに沿って回転方向および軸方向に移動可能である請求項３５に記載の先端保護装置。
【請求項３７】前記チューブがガイドワイヤに対して固定されている請求項３５に記載の先端保護装置。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】変更
【補正の内容】
【００２５】
請求項１９に記載の発明は、血管へ送り込まれたガイドワイヤに沿って、人体の略管状脈管内に医療器具を適当に位置決めするのを容易にする装置であって、医療器具をガイドワイヤのある規定側で側方に設置させて維持する要素と、医療器具の好ましい軸方向端部付近にガイドワイヤによって運ばれ、拡張時にガイドワイヤの前記規定側で側方に設置させて維持される折り畳み可能な準硬性のスペーサとを備え、前記スペーサは血管内壁表面の円周上の位置で嵌合するのに十分なガイドワイヤの前記規定側と接する大きさを有すると共に、ガイドワイヤを血管内壁表面の概ね正反対位置に対し付勢することを要旨とする。
【手続補正４】
【補正対象書類名】明細書
【補正対象項目名】００２６
【補正方法】変更
【補正の内容】
【００２６】
請求項２０に記載の発明は、請求項１９による器具において、前記スペーサはガイドワイヤの位置にある基端部分と血管内壁への接地のための先端部分装置とを有し、前記先端部分は血管内表面を傷めないよう形成されていることを要旨とする。
【手続補正５】
【補正対象書類名】明細書
【補正対象項目名】００２７
【補正方法】変更
【補正の内容】
【００２７】
請求項２１に記載の発明は、請求項２０に記載の器具において、前記スペーサはワイヤの形をしており、また前記スペーサの前記先端部分は前記ワイヤ形の弓形部分を形成することを要旨とする。
【手続補正６】
【補正対象書類名】明細書
【補正対象項目名】００２８
【補正方法】変更
【補正の内容】
【００２８】
請求項２２に記載の発明は、請求項２１に記載の器具において、前記ワイヤ形は閉ループを形成することを要旨とする。
請求項２３に記載の発明は、請求項２２に記載の器具において、前記閉ループはガイドワイヤに対し少なくとも４５度の角度を形成することを要旨とする。
【手続補正７】
【補正対象書類名】明細書
【補正対象項目名】００２９
【補正方法】変更
【補正の内容】
【００２９】
請求項２４に記載の発明は、請求項２１に記載の器具において、前記ワイヤ状の外形は略Ｃ型を形成することを要旨とする。
請求項２５に記載の発明は、請求項２１に記載の器具において、前記ワイヤ状の外形は略Ｊ型を形成することを要旨とする。
【手続補正８】
【補正対象書類名】明細書
【補正対象項目名】００３０
【補正方法】変更
【補正の内容】
【００３０】
請求項２６に記載の発明は、請求項２０に記載の器具において、前記スペーサは放射線不透過性物質であることを要旨とする。
請求項２７に記載の発明は、血管へ送り込まれたガイドワイヤに沿って、人体の略管状脈管内に医療器具を適当に位置決めするのを容易にする装置であって、定義された軸方向位置に、ガイドワイヤに沿って医療器具を取り付ける要素と、前記要素によって運ばれる折り畳み可能な準硬性のスペーサとを備え、前記器具は前記スペーサと概ね軸方向に整列され、前記スペーサは血管内壁表面の円周上の位置で嵌合するのに十分なガイドワイヤの一側面と接する大きさを有し、ガイドワイヤを概ね血管内壁表面の正反対位置に対し付勢することを要旨とする。
【手続補正９】
【補正対象書類名】明細書
【補正対象項目名】００３１
【補正方法】変更
【補正の内容】
【００３１】
請求項２８に記載の発明は、血管へ送り込まれたガイドワイヤに沿って、人体の略管状脈管内に織物より構成された先端保護装置の適当に位置決めするのを容易にする装置であって、ガイドワイヤに沿って好ましい軸方向位置に先端保護装置を取り付ける要素と、先端保護装置の開口部の中に埋め込まれた折り畳み可能な準硬性のスペーサとを備えたことを要旨とする。
請求項２９に記載の発明は、人体血管内に配置可能な先端保護装置であって、ガイドワイヤと、ガイドワイヤを受け取るチューブと、チューブに接続され、閉じた先端部と開いた基端部を有するフィルタバスケットと、チューブに接続され、フィルタバスケットの基端部に近接して配置された離間部材であって、先端保護装置が血管内で設置されている時にフィルタバスケットの基端部を開いた状態に維持するよう適合されている離間部材と、を備えた先端保護装置を要旨とする。
請求項３０に記載の発明は、請求項２９に記載の先端保護装置において、チューブがガイドワイヤに沿って回転方向および軸方向に移動可能であることを要旨とする。
請求項３１に記載の発明は、請求項２９に記載の先端保護装置において、チューブがガイドワイヤに対して固定されていることを要旨とする。
請求項３２に記載の発明は、人体血管内に配置可能な先端保護装置であって、ガイドワイヤと、ガイドワイヤを受け取るチューブと、チューブに接続され、閉じた先端部と開いた基端部を有するフィルタバスケットと、チューブに接続される第１部分と、先端保護装置が血管内で設置されている時にガイドワイヤを係合位置から所望距離だけ離間させるべく同係合位置で血管の内壁に接触する、第１部分とは反対側の第２部分とを有し、フィルタバスケットの基端部に近接して配置された離間部材と、を備えた先端保護装置を要旨とする。
請求項３３に記載の発明は、請求項３２に記載の先端保護装置において、チューブがガイドワイヤに沿って回転方向および軸方向に移動可能であることを要旨とする。
請求項３４に記載の発明は、請求項３２に記載の先端保護装置において、チューブがガイドワイヤに対して固定されていることを要旨とする。
請求項３５に記載の発明は、人体血管内に配置可能な先端保護装置であって、ガイドワイヤと、ガイドワイヤを受け取るチューブと、チューブに接続され、閉じた先端部と開いた基端部を有するフィルタバスケットと、チューブに接続される第１部分と、先端保護装置が血管内で設置されている時にガイドワイヤを係合位置から離れる方向に付勢すべく同係合位置で血管の内壁に接触する第２部分とを有し、フィルタバスケットの基端部に近接して配置された離間部材と、を備えた先端保護装置を要旨とする。
請求項３６に記載の発明は、請求項３５に記載の先端保護装置において、チューブがガイドワイヤに沿って回転方向および軸方向に移動可能であることを要旨とする。
請求項３７に記載の発明は、請求項３５に記載の先端保護装置において、チューブがガイドワイヤに対して固定されていることを要旨とする。